(57)【要約】【課題】部品の組み込みが容易で製作コストが低減された、主に電気機器用のケースを提供することである。【解決手段】鋼板を折り曲げて形成された上箱１２と下箱１４とが重合されてなる直方体状のケース１０であって、上箱１２の４側面は、上面１６の４辺で略直角に折り曲げられて垂れ下がり、下箱１４の４側面は、底面１８の４辺で略直角に折り曲げられて立ち上がり、上箱１２の側面どうしの隣接部、及び、下箱１４の側面どうしの隣接部には、そのどちらかの側面から延長されて内側に折り込まれた重ね代が設けられ、少なくとも２個の重ね代において、下箱１４と上箱１２とがネジ止めされたケース１０とされることである。そして特に、少なくとも１側面が他の側面より低い上箱１２と、この上箱１２と重合されて直方体を形成する下箱１４とからなるケース１０とされることである。【選択図】  図１
2004284667.tif 000002
【特許請求の範囲】
【請求項１】
鋼板を折り曲げて形成された上箱と下箱とが重合されてなる直方体状のケースであって、上箱の４側面は、上面の４辺で略直角に折り曲げられて垂れ下がり、下箱の４側面は、底面の４辺で略直角に折り曲げられて立ち上がり、上箱の側面どうしの隣接部、及び、下箱の側面どうしの隣接部には、どちらかの該側面から延長されて内側に折り込まれた重ね代が設けられ、少なくとも２個の該重ね代において、下箱と上箱とがネジ止めされたケ−ス。
【請求項２】
前記上箱の４側面及び下箱の４側面のいずれにおいても、側面又は該側面から延長して設けられた重ね代の少なくとも１箇所で前記ネジ止めが行われている、請求項１に記載のケース。
【請求項３】
前記重ね代が、上箱の対向する２側面の両側、及び、該２側面の下方に位置する下箱の２側面の両側に設けられた、請求項１又は請求項２に記載のケース。
【請求項４】
少なくとも１側面が他の側面より低い前記上箱と、この上箱と重合されて直方体を形成する前記下箱とからなる、請求項１から請求項３のいずれかに記載のケース。
【発明の詳細な説明】
【０００１】
【発明の属する技術分野】
本発明は、部品の組み込みが容易で製作コストが低減された、主に電気機器用のケースに関する。
【０００２】
【発明が解決しようとする課題】
従来、電気機器用のケースは、鋼板を箱状に折り曲げた後、その突き合された角部を溶接止めすることで行われていた。そして、基板などの電気部品を組み込んでから上蓋をビス止めしていた。ところが、薄い鋼板の溶接には高度の技術が必要であり、熟練工を確保しなければならず、その上、歩留まりの悪化やコストの上昇を招くという問題があった。また、ケースが深い箱状の場合には、高い側壁に邪魔されて手指の作業が不自由になり、ケース内に電気部品を装着するのが非常に難しかった。
【０００３】
そこで本発明者は、製作が容易でコストが低減され、電気部品などの組み込み作業性が格別に改善されたケースを提供するべく鋭意検討を重ねた結果、本発明に至ったのである。
【０００４】
【課題を解決するための手段】
本発明に係わるケースの要旨とするところは、鋼板を折り曲げて形成された上箱と下箱とが重合されてなる直方体状のケースであって、上箱の４側面は、上面の４辺で略直角に折り曲げられて垂れ下がり、下箱の４側面は、底面の４辺で略直角に折り曲げられて立ち上がり、上箱の側面どうしの隣接部、及び、下箱の側面どうしの隣接部には、どちらかの側面から延長されて内側に折り込まれた重ね代が設けられ、少なくとも２個の重ね代において、下箱と上箱とがネジ止めされたことにある。
【０００５】
さらに、かかるケースにおいて、上箱の４側面及び下箱の４側面のいずれにおいても、側面又はこの側面から延長して設けられた重ね代の少なくとも１箇所で上記のネジ止めが行われたことにある。
【０００６】
さらに、かかるケースにおいて、上箱の対向する２側面の両側、及び、下箱の、これら２側面の下方に位置する２側面の両側に重ね代が設けられたことにある。
【０００７】
さらに、かかるケースが、少なくとも１側面が他の側面より低い上箱と、この上箱と重合されて直方体を形成する下箱とから構成されたことにある。
【０００８】
【発明の実施の形態】
次に、本発明に係わるケースの実施態様について、図面に基づいて詳しく説明する。
【０００９】
図１〜図３は、本発明に係わるケースの特に好ましい一例を示し、図１は分解図、図２は外観図、図３は折り曲げ加工前の上箱と下箱を示す説明図である。図２で示されるように、ケース１０は上箱１２と下箱１４とが重合されてなる直方体状である。そして、図１で示されるように、上箱１２の４側面、２６１、２６２、２６３、２６４は、上面１６の４辺で略直角に折り曲げられて垂れ下がり、下箱１４の４側面、２８１、２８２、２８３、２８４は、底面１８の４辺で略直角に折り曲げられて立ち上がっている。
【００１０】
また、上箱１２の、側面２６１と側面２６２との隣接部には重ね代２０１が、側面２６２と側面２６３との隣接部には重ね代２０２が、側面２６２の両側から延長され内側に折り込まれて設けられている。また同様に、側面２６３と側面２６４との隣接部には重ね代２０３が、側面２６４と側面２６１との隣接部には重ね代２０４が、側面２６４の両側から延長され内側に折り込まれて設けられている。
【００１１】
また、下箱１４の、側面２８１と側面２８２との隣接部には重ね代２１１が、側面２８２と側面２８３との隣接部には重ね代２１２が、側面２８２の両側から延長され内側に折り込まれて設けられている。また同様に、側面２８３と側面２８４との隣接部には重ね代２１３が、側面２８４と側面２８１との隣接部には重ね代２１４が、側面２８４の両側から延長され内側に折り込まれて設けられている。
【００１２】
そして、上箱１２の重ね代２０１と２０３には突出部２２１と２２３が、それぞれ下箱１４に挿入されるようにして設けられており、下箱１４の重ね代２１２と２１４には突出部２３１と２３３が、それぞれ上箱１２に挿入されるようにして設けられている。すなわち、本例のケース１０には４個の重ね代に突出部が備えられている。
【００１３】
これら４箇所の突出部は下箱１４又は上箱１２の側面とそれぞれネジ止めされている。図１に基づき、突出部２２１について詳しく説明する。突出部２２１は下箱１４の側面２８１の内面に沿って下箱１４に挿入され、上箱１２の側面２６１の下端と、下箱１４の側面２８１の上端とが突き当たる位置で停止する。この時、突出部２２１に設けられた２個の孔３１１、３１２と、下箱１４の側面２８１の上端部に設けられた孔３０１、３０２とが重なり、これらの貫通孔にボルト２４を挿入、ナット（図中省略）締めすることによって突出部２２１と側面２８１とがネジ止めされている。あるいは、孔３１１と３１２に雌ねじを刻むことによりボルトを省いてネジ止めすることもできる。そして、このネジ止めによって、突出部２２１に連続する上箱１２の側面２６２と下箱１４の側面２８１とが強固に連結されている。
【００１４】
同様に、突出部２３１を介し上箱１２の側面２６３と下箱１４の側面２８２とが、突出部２２３を介し上箱１２の側面２６４と下箱１４の側面２８３とが、突出部２３３を介し上箱１２の側面２６１と下箱１４の側面２８４とが連結されている。すなわち、上箱１２の４側面及び下箱１４の４側面のいずれにおいても、側面又はこの側面から延長して設けられた重ね代のどちらかでネジ止めが行われている。
【００１５】
このように、本発明のケース１０では、上箱１２の側面と下箱１４の側面とがネジ止めを介して強固に連結され、必要な強度を十分確保することができるので、従来のように、上箱１２又は下箱１４の角部を予め溶接する手間を省くことができ、製作コストを大幅に低減することができる。
【００１６】
そして特に、図１〜図３に例示されるケース１０では、上箱１２と下箱１４の全ての側面が上下に連結されているので強度が格別に高くなる。また、上箱１２の対向する２側面２６２、２６４の両側、及び、下箱１４の対向する２側面２８２、２８４の両側に重ね代が設けられているので、側面２６２、２６４、２８２、２８４にはネジ止め部が無い。このため、何処にでも、どれだけ広くにも自由に、例えば、電気配線などを通すための開口部を設けることができて大変便利である。
【００１７】
図４〜図７は、本発明に係わる他の一例を示し、従来のケースでは深くて部品の組み込みが難しい場合に特に有用である。本ケース１０では、上箱１２の連続する２側面２６２、２６３が、他の２側面２６１、２６４より低くされ、この上箱１２と重合されて直方体を形成するように、下箱１４の２側面２８２、２８３が、他の２側面２８１、２８４より高くされている。また、上箱１２の高い側面２６１、２６４を補強するするために、重ね代２０４と２０１とに孔３２を設け、側面２６１に設けた２個の孔３３とそれぞれボルト２５を用いてネジ止め・連結する工夫がなされている。同様に、下箱１４についても、重ね代２１２と２１３とに孔３４が設けられ、側面２８３に設けた２個の孔３５とそれぞれネジ止めされている。しかしながらこれらの補強は、ケース１０の材質や形状などによっては必ずしも必要とされるものではない。そして、図１〜図３に示されるケース１０と同様に、上箱１２及び下箱１４の全ての側面が上下に連結されて十分な強度が確保され、対向する側面群、２８２と２６２、２８４と２６４にはネジ止め部が無いため、例えば、電気配線などを通すための開口部を自由に設けることができる。
【００１８】
本例のケース１０によれば、上箱１２の連続する２側面２６２と２６３、及び、下箱１４の連続する２側面２８１と２８４が低くされているので、上箱１２や下箱１４内に自由に手指を差し込むことができ、ケース１０が深い場合でも電気部品などを特に容易に組み込むことができる。しかしながら、組み込みの作業性を向上するためには、必ずしも連続する２側面を低くする必要はなく、少なくとも１側面を低くするだけで有効である。
【００１９】
図８と図９に示されるケース１０では、下箱１４の側面２８２と２８４の両側に、それぞれ２個の突出部２３１と２３４、２３２と２３３が設けられている。上箱１２の側面２６２と２６４、下箱１４の側面２８１と２８３は、どの突出部ともネジ止めされていないが、上箱１２の側面２６１と２６３は、突出部２３１と２３４、２３２と２３３を介し、下箱１４の側面２８２と２８４とに、それぞれ左右の２箇所で連結されている。本例のケース１０は、側面２６１、２６３、２８２、２８４などが大面積であって、１箇所のネジ止めでは十分な強度が確保できない場合に特に有用である。
【００２０】
また、図１０と図１１に示されるケース１０では、下箱１４の各側面の脇に１個ずつの突出部が設けられている。そして、上箱１２の側面２６１、２６２、２６３、２６４は、下箱１４の突出部２３３、２３４、２３１、２３２を介し、側面２８４、２８１、２８２、２８３と連結している。このケース１０は、上箱１２及び下箱１４の全ての側面が上下に連結されているので格別に高い強度が確保されている。
【００２１】
すでに例示された幾つかのケース１０では、いずれも４個の重ね代において下箱１４と上箱１２とがネジ止めさていた。しかしながら、本発明は少なくとも２個の重ね代において下箱１４と上箱１２とがネジ止めされていればよい。小型であったり、厚い鋼板が用いられる場合には、２箇所でのネジ止めで十分な実用強度を得ることができる。好ましくは、ケース１０の対角部２箇所でネジ止めされる。
【００２２】
図１２と図１３に示されるケース１０では、下箱１４の対角する２箇所に突出部２３１、２３３が設けられている。突出部２３１を介し、上箱１２の側面２６３と下箱１４の側面２８２とが連結され、突出部２３３を介し、上箱１２の側面２６１と下箱１４の側面２８４とが連結されている。
【００２３】
一方、図１４と図１５に示されるケース１０では、下箱１４と上箱１２の各側面に１箇ずつ、計８個の突出部が設けられていて、それぞれ挿入される上箱１２又は下箱１４の側面とネジ止めされる。上箱１２の側面と下箱１４の側面とがより強く連結されるので、さらに強度が高められたケース１０を得ることができる。
【００２４】
上箱１２や下箱１４は鋼板を折り曲げて形成されるが、鋼板の種類や厚みは特に限定されない。上箱１２と下箱１４の重合位置を容易に定めるため、上箱１２の下端や下箱１４の上端に嵌合用の凹凸を設けてもよい。また、上箱１２の上面や側面、あるいは、下箱１４の底面や側面には、必要に応じた形状の開口部や取り付け孔などが自由に設けられる。
【００２５】
重ね代を介する下箱１４と上箱１２とのネジ止めは、重ね代に突出部を設けないでも実行することができる。図１６は、図１に示されるケース１０についてその一例を説明するものであるが、重ね代２１４の上端を側面２８１の上端に揃えて突出部２３３を省いている。そして、上箱１２の側面２６１からの突き出し部３６を長くするとともに、下箱１４の側面２８１の凹み部３８を深くして、孔３１と孔３０との位置合わせを可能にしている。
【００２６】
以上、本発明に係わるケースについて詳細に説明してきたが、本発明は上述の引用・例示に限定されず、ケースや上箱や下箱の形状、鋼板の種類、重ね代や開口部の形状、ネジ止めの手段などにつき、本発明の趣旨を逸脱しない範囲で、当業者の知識に基づき種々なる改良、修正、変化を加えた態様で実施し得るものである。
【００２７】
【発明の効果】
本発明に係わるケースによれば、上箱の側面と下箱の側面とが、重ね代とのネジ止めを介して強固に連結されるので、上箱や下箱の角部を予め溶接止めしなくても十分な強度を確保することができる。このため、溶接工程を省いて製作コストを大幅に低減することができる。
【００２８】
そして特に、上箱の４側面及び下箱の４側面のいずれにおいても、側面又はこの側面から延長して設けられた重ね代の少なくとも１箇所でネジ止めすることにより、すべての側面が上下に連結されることになるので、さらに強度が高められたケースを得ることができる。
【００２９】
また特に、上箱の対向する２側面の両側、及び、下箱の対向する２側面の両側に重ね代を設け、ネジ止め部の無い側面を残すことにより、広い開口部を設けることが可能になり、開口部の位置を自由に選択できるようになるので、設計の自由度が拡大して実用性が向上する。
【００３０】
また特に、少なくとも１側面が他の側面より低い上箱と、この上箱と重合されて直方体を形成する下箱とから構成することにより、側面に邪魔されずに上箱や下箱内に自由に手指を差し込むことができるようになって、ケースが深い場合でも電気部品などを容易に組み込めるようになる。
【図面の簡単な説明】
【図１】本発明に係わるケースの一例を分解して示す斜視図である。
【図２】本発明に係わり、図１に示されるケースの外観を示す斜視図である。
【図３】本発明に係わり、図１に示されるケースの細部を説明する斜視図であり、同図（ａ）は折り込み前の上箱、同図（ｂ）は折り込み前の下箱を示す。
【図４】本発明に係わるケースの他の一例を分解して示す斜視図である。
【図５】本発明に係わり、図４に示されるケースの外観を示す斜視図である。
【図６】本発明に係わり、図４中に示される上箱を折り込み前の状態で示す斜視図である。
【図７】本発明に係わり、図４中に示される下箱を折り込み前の状態で示す斜視図である。
【図８】本発明に係わるケースの他の一例の外観を示す斜視図である。
【図９】本発明に係わり、図８に示されるケースの細部を説明する斜視図であり、同図（ａ）は折り込み前の上箱、同図（ｂ）は折り込み前の下箱を示す。
【図１０】本発明に係わるケースの他の一例の外観を示す斜視図である。
【図１１】本発明に係わり、図１０に示されるケースの細部を説明する斜視図であり、同図（ａ）は折り込み前の上箱、同図（ｂ）は折り込み前の下箱を示す。
【図１２】本発明に係わるケースの他の一例の外観を示す斜視図である。
【図１３】本発明に係わり、図１２に示されるケースの細部を説明する斜視図であり、同図（ａ）は折り込み前の上箱、同図（ｂ）は折り込み前の下箱を示す。
【図１４】本発明に係わるケースの他の一例の外観を示す斜視図である。
【図１５】本発明に係わり、図１４に示されるケースの細部を説明する斜視図であり、同図（ａ）は折り込み前の上箱、同図（ｂ）は折り込み前の下箱を示す。
【図１６】本発明に係わり、下箱と上箱のネジ止め方法の一例を説明し、要部を拡大して示す側面図である。
【符号の説明】
１０：ケース
１２：上箱
１４：下箱
１６：上面
１８：底面
２０１、２０２、２０３、２０４、２１１、２１２、２１３、２１４：重ね代
２２１、２２２、２２３、２２４、２３１、２３２、２３３、２３４：突出部
２４、２５：ボルト
２６１、２６２、２６３、２６４、２８１、２８２、２８３、２８４：側面
３０、３０１、３０２、３１、３１１、３１２、３２、３３、３４、３５：孔
３６：突き出し部
３８：凹み部
【図１】
2004284667.tif 000003
【図２】
2004284667.tif 000004
【図３】
2004284667.tif 000005
【図４】
2004284667.tif 000006
【図５】
2004284667.tif 000007
【図６】
2004284667.tif 000008
【図７】
2004284667.tif 000009
【図８】
2004284667.tif 000010
【図９】
2004284667.tif 000011
【図１０】
2004284667.tif 000012
【図１１】
2004284667.tif 000013
【図１２】
2004284667.tif 000014
【図１３】
2004284667.tif 000015
【図１４】
2004284667.tif 000016
【図１５】
2004284667.tif 000017
【図１６】
2004284667.tif 000018